【手続補正書】
【提出日】平成28年8月19日(2016.8.19)
【手続補正１】
【補正対象書類名】特許請求の範囲
【補正対象項目名】全文
【補正方法】変更
【補正の内容】
【特許請求の範囲】
【請求項１】
第１アコースティカル振動板を支持するように構成された第１円錐台フレーム部、
前記第１アコースティカル振動板に接合され、第１正オーディオリード線と第２負オーディオリード線とを有する第１ボイスコイル、及び
前記第１ボイスコイルを第１磁場内に懸架するように構成され、前記第１円錐台フレーム部に接合された第１磁石アセンブリ
を含む第１スピーカと、
第２アコースティカル振動板を支持するように構成された第２円錐台フレーム部、
前記第２アコースティカル振動板に接合され、第１正オーディオリード線と第２負オーディオリード線とを有する第２ボイスコイル、及び
前記第２ボイスコイルを第２磁場内に懸架するように構成され、前記第２円錐台フレーム部に接合された第２磁石アセンブリ
を含む第２スピーカと、
各前記第１及び第２ボイスコイルに電気的に接続され、前記第１及び第２アコースティカル振動板が一斉に振動するように前記第１及び第２ボイスコイルが反対側の極に配線されているオーディオ信号ドライバと
を備えているラウドスピーカドライバアセンブリ。
【請求項２】
請求項１記載のラウドスピーカアセンブリにおいて、前記第１及び第２フレーム部のそれぞれは、前記第１及び第２アコースティカル振動板を周囲に露出する少なくとも１つの孔を備えているラウドスピーカアセンブリ。
【請求項３】
請求項１記載のスピーカアセンブリにおいて、前記第１及び第２スピーカは、前記第１及び第２円錐台フレーム部の広角端がそれぞれ互いに対向しているスピーカアセンブリ。
【請求項４】
請求項１記載のスピーカアセンブリにおいて、前記第１及び第２スピーカは、前記第１及び第２円錐台フレーム部の広角端がそれぞれ互いに対向し、その状態で各前記第１及び第２アコースティカル振動板の少なくとも一部が互いに接続しているスピーカアセンブリ。
【請求項５】
請求項１記載のスピーカアセンブリにおいて、前記第１の磁石アセンブリは、前記第２の磁石アセンブリと物理的に離れているスピーカアセンブリ。
【請求項６】
請求項１記載のスピーカアセンブリにおいて、前記第１及び第２アコースティカル振動板が円錐台形状に形成されているスピーカアセンブリ。
【請求項７】
請求項６記載のスピーカアセンブリにおいて、前記第１アコースティカル振動板の広角端が前記第１アコースティカル振動板の広角端と結合されているスピーカアセンブリ。
【請求項８】
請求項１記載のスピーカアセンブリにおいて、少なくとも第１アコースティカル振動板のエッジ部は、少なくとも第２アコースティカル振動板のエッジ部と当接しており、かつ少なくとも第２アコースティカル振動板のエッジ部と直接接合しており、
前記オーディオ信号ドライバは、前記第１アコースティカル振動板に直接作用する第１振動力を生成する第１音声コイルに信号を供するものであり、
前記第１振動力は、前記第１アコースティカル振動板のエッジ部から当該第１振動力を前記第２アコースティカル振動板のエッジ部に機械的に伝達する前記第１アコースティカル振動板のエッジ部を介して当該第２アコースティカル振動板に伝達されるものであり、
前記オーディオ信号ドライバは、前記第２アコースティカル振動板に直接作用する第２振動力を生成する第２音声コイルに信号を供するものであり、
前記第２振動力は、前記第２アコースティカル振動板のエッジ部から当該第２振動力を前記第１アコースティカル振動板のエッジ部に機械的に伝達する前記第２アコースティカル振動板のエッジ部を介して当該第１アコースティカル振動板に伝達されるものである、スピーカアセンブリ。
【手続補正２】
【補正対象書類名】明細書
【補正対象項目名】０００５
【補正方法】変更
【補正の内容】
【０００５】
本開示の別の側面によれば、ラウドスピーカアセンブリが設けられる。このスピーカアセンブリは、第１スピーカを備えている。第１スピーカは、第１アコースティカル振動板を支持する第１円錐台フレーム部と、前記第１アコースティカル振動板に接合される第１ボイスコイルであって、第１の正リード線と第２の負リード線とを有する前記第１ボイスコイルと、前記第１ボイスコイルを第１磁場内に懸架するように構成された第１磁石アセンブリであって、前記第１円錐台フレーム部に接合された前記第１磁石アセンブリとを備えている。ラウドスピーカアセンブリは、さらに、第２スピーカを備えている。第２スピーカは、第２アコースティカル振動板を支持する第２円錐台フレーム部と、前記第２アコースティカル振動板に接合された第２ボイスコイルであって、第１の正リード線と第２の負リード線とを有する前記第２ボイスコイルと、前記第２ボイスコイルを第２磁場内に懸架するように構成された第２磁石アセンブリであって、前記第２円錐台フレーム部に接合された前記第２磁石アセンブリとを備えている。第１及び第２ボイスコイルのそれぞれに対しオーディオ信号ドライバが電気的に接合されており、第１及び第２ボイスコイルは、第１及び第２アコースティカル振動板が一斉に振動するように反対側の極に配線されている。ある側面において、第１及び第２スピーカは、第１及び第２円錐台フレーム部の広角端をそれぞれ互いに対向させて配置されている。
本開示の別の側面によれば、前記第１及び第２フレーム部のそれぞれは、前記第１及び第２アコースティカル振動板を周囲に露出する少なくとも１つの孔を備えている。
本開示の別の側面によれば、前記第１及び第２アコースティカル振動板が円錐台形状に形成されている。
本開示の別の側面によれば、前記第１アコースティカル振動板の広角端が前記第１アコースティカル振動板の広角端と結合されている。
本開示の別の側面によれば、少なくとも第１アコースティカル振動板のエッジ部は、少なくとも第２アコースティカル振動板のエッジ部と当接しており、かつ少なくとも第２アコースティカル振動板のエッジ部と直接接合しており、前記オーディオ信号ドライバは、前記第１アコースティカル振動板に直接作用する第１振動力を生成する第１音声コイルに信号を供するものであり、前記第１振動力は、前記第１アコースティカル振動板のエッジ部から当該第１振動力を前記第２アコースティカル振動板のエッジ部に機械的に伝達する前記第１アコースティカル振動板のエッジ部を介して当該第２アコースティカル振動板に伝達されるものであり、前記オーディオ信号ドライバは、前記第２アコースティカル振動板に直接作用する第２振動力を生成する第２音声コイルに信号を供するものであり、前記第２振動力は、前記第２アコースティカル振動板のエッジ部から当該第２振動力を前記第１アコースティカル振動板のエッジ部に機械的に伝達する前記第２アコースティカル振動板のエッジ部を介して当該第１アコースティカル振動板に伝達されるものである。
【手続補正３】
【補正対象書類名】明細書
【補正対象項目名】０００８
【補正方法】変更
【補正の内容】
【０００８】
【図２】本開示の種々の実施態様に基づく図１のラウドスピーカドライバの破断図である。
【図３】二つの振動板が一つの信号振動板であるかのように一斉に振動する実施態様を示す図である。
【図４】本発明の別態様を示す図である。
【図５Ａ】本発明の別態様を示す図である。
【図５Ｂ】本発明の別態様を示す図である。
【図５Ｃ】本発明の別態様を示す図である。
【図６】本発明の別態様を示す図である。
【図７】本発明の別態様を示す図である。
【図８】本発明の別態様を示す図である。